【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
定期的な資料参照のために資料データベースから資料データを抽出するデータ抽出装置であって、
定期的な資料参照のために資料データを抽出するための抽出条件式を管理するクエリ管理手段と、
前記抽出条件式に基づいて前記資料データベースから参照するデータを抽出する資料データ事前抽出手段と、
参照すべき資料データをユーザが手動で追加登録する資料データ手動追加手段と、
前記クエリ管理手段が管理する抽出条件式を作成する抽出条件作成手段と、
を備え、
前記抽出条件作成手段は、前記資料データ手動追加手段によって追加された資料データの資料種別または資料のメタ情報を判定し、前記追加された資料データが抽出結果に含まれるように前記抽出条件式を作成する、
ことを特徴とするデータ抽出装置。
【請求項２】
前記抽出条件作成手段は、前記資料データの判定により、前記資料データに含まれる前記資料データの種類と日付とのうち少なくとも一方を範囲とする抽出条件式を作成することを特徴とする請求項１に記載のデータ抽出装置。
【請求項３】
定期的な資料参照のために資料データベースから資料データを抽出するデータ抽出装置であって、
定期的な資料参照のために資料データを抽出するための抽出条件式を管理するクエリ管理手段と、
前記抽出条件式に基づいて前記資料データベースから参照するデータを自動的かつ定期的に抽出する資料データ事前抽出手段と、
参照すべき資料データをユーザが手動で追加登録する資料データ手動追加手段と、
前記クエリ管理手段が管理する抽出条件式を作成する抽出条件作成手段と、
を備え、
前記抽出条件作成手段は、前記資料データ手動追加手段によって追加された資料データの資料種別および資料のメタ情報を判定し、前記資料データの判定により、前記資料データに含まれる前記資料データの種類と日付とのうち少なくとも一方を範囲とする抽出条件式を前記追加された資料データが抽出結果に含まれるように作成する
ことを特徴とするデータ抽出装置。
【請求項４】
前記抽出条件作成手段は、前記資料データからメタ情報の有無を判定し、メタ情報を有する場合に、当該メタ情報を解析することにより、前記資料データの種類及び日付に係る抽出条件式を作成することを特徴とする請求項１に記載のデータ抽出装置。
【請求項５】
前記抽出条件作成手段は、当該メタ情報に含まれる前記資料データの種類及び日付を範囲とした抽出条件式を作成することを特徴とする請求項４に記載のデータ抽出装置。
【請求項６】
前記抽出条件作成手段は、前記資料データからメタ情報の有無を判定し、メタ情報が存在しない場合に、前記資料データの種類または日付の範囲を更新して検索を繰り返すことにより前記資料データを解析し、前記資料データの種類及び日付に係る抽出条件式を作成することを特徴とする請求項１〜５の何れか１項に記載のデータ抽出装置。
【請求項７】
前記抽出条件作成手段は、前記資料データの抽出条件式が作成されており、前記抽出条件式が複数の条件を組み合わせた条件である場合に、前記複数の条件それぞれに分解して前記抽出条件式を更新することを特徴とする請求項１〜６の何れか１項に記載のデータ抽出装置。
【請求項８】
前記抽出条件作成手段は、前記複数の条件それぞれに分解して前記抽出条件式を更新した後に、さらに前記更新した抽出条件式の抽出範囲を狭くすることを特徴とする請求項７に記載のデータ抽出装置。
【請求項９】
前記抽出条件作成手段は、資料データの使用頻度に応じて前記更新した抽出条件式の抽出範囲を狭くすることを特徴とする請求項８に記載のデータ抽出装置。
【請求項１０】
前記抽出条件作成手段は、前記資料データからメタ情報の有無を判定し、メタ情報が存在しない場合に、前記資料データに係る人物の情報に基づいて前記資料データの種類を更新して検索を繰り返すことにより前記資料データの種類及び日付に係る抽出条件式を作成することを特徴とする請求項１又は２に記載のデータ抽出装置。
【請求項１１】
前記資料データが、会議で使用するための資料であることを特徴とする請求項１〜１０の何れか１項に記載のデータ抽出装置。
【請求項１２】
定期的な資料参照のために資料データベースから資料データを抽出するデータ抽出装置であって、
定期的な資料参照のために資料データを抽出するための抽出条件式を管理するクエリ管理手段と、
前記抽出条件式に基づいて前記資料データベースから参照するデータを自動的かつ定期的に抽出する資料データ事前抽出手段と、
参照すべき資料データをユーザが手動で追加登録する資料データ手動追加手段と、
前記クエリ管理手段が管理する抽出条件式を作成する抽出条件作成手段と、
を備え、
前記抽出条件作成手段は、前記資料データ手動追加手段によって追加された資料データの資料種別と資料のメタ情報とのうち少なくとも一方を判定し、前記資料データの判定に基づいて、前記追加された資料データが抽出結果に含まれるように前記抽出条件式を作成する、
ことを特徴とするデータ抽出装置。
【請求項１３】
前記作成された抽出条件式を表示手段に表示させる表示制御手段をさらに有することを特徴とする請求項１〜１２の何れか１項に記載のデータ抽出装置。
【請求項１４】
参照すべき資料データをユーザが手動で追加登録する資料データ手動追加手段を備え、定期的な資料参照のために資料データベースから資料データを抽出するデータ抽出装置のデータ抽出方法であって、
定期的な資料参照のために資料データを抽出するための抽出条件式を管理するクエリ管理工程と、
前記抽出条件式に基づいて前記資料データベースから参照するデータを抽出する資料データ事前抽出工程と、
前記クエリ管理工程が管理する抽出条件式を作成する抽出条件作成工程と、
を備え、
前記抽出条件作成工程において、前記資料データ手動追加手段によって追加された資料データの資料種別または資料のメタ情報を判定し、前記追加された資料データが抽出結果に含まれるように前記抽出条件式を作成する、
ことを特徴とするデータ抽出方法。
【請求項１５】
前記抽出条件作成工程において、前記資料データの判定により、前記資料データに含まれる前記資料データの種類と日付とのうち少なくとも一方を範囲とする抽出条件式を作成することを特徴とする請求項１４に記載のデータ抽出方法。
【請求項１６】
参照すべき資料データをユーザが手動で追加登録する資料データ手動追加手段を備え、定期的な資料参照のために資料データベースから資料データを抽出するデータ抽出装置のデータ抽出方法であって、
定期的な資料参照のために資料データを抽出するための抽出条件式を管理するクエリ管理工程と、
前記抽出条件式に基づいて前記資料データベースから参照するデータを自動的かつ定期的に抽出する資料データ事前抽出工程と、
前記クエリ管理工程が管理する抽出条件式を作成する抽出条件作成工程と、
を備え、
前記抽出条件作成工程において、前記資料データ手動追加手段によって追加された資料データの資料種別および資料のメタ情報を判定し、前記資料データの判定により、前記資料データに含まれる前記資料データの種類と日付とのうち少なくとも一方を範囲とする抽出条件式を前記追加された資料データが抽出結果に含まれるように作成する
ことを特徴とするデータ抽出方法。
【請求項１７】
前記資料データが、会議で使用するための資料であることを特徴とする請求項１４〜１６の何れか１項に記載のデータ抽出方法。
【請求項１８】
参照すべき資料データをユーザが手動で追加登録する資料データ手動追加手段を備え、定期的な資料参照のために資料データベースから資料データを抽出するデータ抽出装置のデータ抽出方法であって、
定期的な資料参照のために資料データを抽出するための抽出条件式を管理するクエリ管理工程と、
前記抽出条件式に基づいて前記資料データベースから参照するデータを自動的かつ定期的に抽出する資料データ事前抽出工程と、
前記クエリ管理工程が管理する抽出条件式を作成する抽出条件作成工程と、
を備え、
前記抽出条件作成工程において、前記資料データ手動追加手段によって追加された資料データの資料種別と資料のメタ情報とのうち少なくとも一方を判定し、前記資料データの判定に基づいて、前記追加された資料データが抽出結果に含まれるように前記抽出条件式を作成する、
ことを特徴とするデータ抽出方法。
【請求項１９】
前記作成された抽出条件式を表示手段に表示させる表示制御工程をさらに有することを特徴とする請求項１４〜１８の何れか１項に記載のデータ抽出方法。
【請求項２０】
請求項１４〜１９の何れか１項に記載のデータ抽出方法の各工程をコンピュータに実行させるためのプログラム。
【手続補正２】
【補正対象書類名】明細書
【補正対象項目名】発明の名称
【補正方法】変更
【補正の内容】
【発明の名称】データ抽出装置、データ抽出方法及びプログラム
【手続補正３】
【補正対象書類名】明細書
【補正対象項目名】０００１
【補正方法】変更
【補正の内容】
【０００１】
本発明は、特に、データベースに登録されている資料を抽出するために用いて好適なデータ抽出装置、データ抽出方法及びプログラムに関する。
【手続補正４】
【補正対象書類名】明細書
【補正対象項目名】００１３
【補正方法】変更
【補正の内容】
【００１３】
本発明に係るデータ抽出装置は、定期的な資料参照のために資料データベースから資料データを抽出するデータ抽出装置であって、定期的な資料参照のために資料データを抽出するための抽出条件式を管理するクエリ管理手段と、前記抽出条件式に基づいて前記資料データベースから参照するデータを抽出する資料データ事前抽出手段と、参照すべき資料データをユーザが手動で追加登録する資料データ手動追加手段と、前記クエリ管理手段が管理する抽出条件式を作成する抽出条件作成手段と、を備え、前記抽出条件作成手段は、前記資料データ手動追加手段によって追加された資料データの資料種別または資料のメタ情報を判定し、前記追加された資料データが抽出結果に含まれるように前記抽出条件式を作成する、ことを特徴とする。